(57)【要約】【課題】金属製の織物に対する素材コストや製造上の有利性を維持しながら、より金属製の織物に近づいた機能や外観を有する樹脂正形品の提供。【解決手段】合成樹脂製の多孔性カバー１は、多孔部３が複数の波形状の線状部５，１１が上下方向で交錯したメッシュ状パターンに成形され、その目開き部分が貫通孔１３になっており、配置角度の変化に拘わらず取り付けられる物品の機能に対する阻害度、例えば、スピーカーに取り付ける場合にはその音質の変化が小さく、しかもどの角度から見ても高級感の有るメタリック調織物の外観を呈示する。【選択図】        図３
2009130409.tif 000002
【特許請求の範囲】
【請求項１】
物品の一面側を覆うように取り付けられる合成樹脂製の多孔性カバーにおいて、
多孔部は複数の波形状の線状部が上下方向で交錯した編織物様のメッシュ状パターンに成形され、その目開き部分が貫通孔になっていることを特徴とする多孔性カバー。
【請求項２】
請求項１に記載した多孔性カバーにおいて、
多孔部の裏面に補強用リブ部が一体に成形されていることを特徴とする多孔性カバー。
【請求項３】
請求項１または２に記載した多孔性カバーにおいて、
取り付ける物品がスピーカーであることを特徴とする多孔性カバー。
【発明の詳細な説明】
【技術分野】
【０００１】
本発明は、スピーカーのカバー（ネット）等の防護カバーとして好適な合成樹脂製の多孔性カバーに関するものである。
【背景技術】
【０００２】
一般に、スピーカーの前面には防護カバーとして多孔性カバーが取り付けられている。この種の多孔性カバーには、スピーカーから出力された音の音質を極力損なわないことも要求される。また、特に車内に搭載されるスピーカーは、特許文献１に開示されているように、ドア部など色々な場所に設けられた車内のインナーパネルに組み込まれるため、その前面を覆うカバーはインナーパネルと同様に、利用者の目につき易く、美的外観を呈するものでことも要求される。
【０００３】
多孔性カバーとしては、特許文献２に開示されているような繊維で構成されたものや全面に貫通孔が多数形成された樹脂製のパンチングシート、これらを積層したもの、パンチングメタル等が知られているが、剛性、音質の維持、見た目の高級感などを総合的に考慮して、特に車内に搭載されるスピーカーの前面を覆うカバーとしては、従来は、金属の細線を織り込んだメタリック調のカバーが好ましいと考えられていた。
しかしながら、金属で多孔性カバーを構成するとなると、樹脂に比べて素材コストが掛かる上に、インナーパネルの３次元曲面に沿う形状にするための加工が面倒であるなどの問題がある。
【０００４】
そのため、最近では上記のような用途でも合成樹脂の成形品で代替されつつある。この種の従来品カバーは上側型と下側型とからなる金型をセットし、そのキャビティに溶融樹脂を充填・固化した後に、上側または下側のいずれかの可動式の方の型を開いて成形品を取り出すことにより得られる。この成形品は上側型と下側型のそれぞれのキャビティに対応した形状に成形されており、両金型の境界に対応する部分にパーティングライン（＝ＰＬ）が形成されている。
図４は市販されている従来の多孔性カバー（以下、「従来品カバー」と略記する）１０１の拡大斜視図である。この従来品カバー１０１の多孔部１０３では、複数の横線状部１０５と複数の縦線状部１１１が格子状に配列されている。線状部１０５，１１１のうち上側型のキャビティ形状に対応して成形された上部分の線状部の断面は円弧状になっており、側面から見たときの上側の輪郭線は交互に凹凸部が形成された波形状をなしている。一方、下側型のキャビティ形状に対応して成形された下部分の線状部の断面は四角形になっており、側面面から見たときの下側の輪郭線１０９は水平にストレート状になっている。そして、隣り合う２つの横線状部１０５と隣り合う２つの縦線状部１１１とで囲まれた隙間は貫通孔１１３になっている。このような形状にすることで、高級感の有るメタリック調織物らしく見せている。
【０００５】
【特許文献１】特開平９−３１５２３５号公報
【特許文献２】特開平７−２７４２７４号公報
【発明の開示】
【発明が解決しようとする課題】
【０００６】
本発明は、合成樹脂の成形品をさらに進化させ、配置角度の変化に拘わらず取り付けられる物品の機能に対する阻害度、例えば、スピーカーに取りつけられる場合にはその音質の変化が小さく、しかもどの角度から見ても高級感の有るメタリック調織物の外観を呈示できるものを提供することを目的とする。
【課題を解決するための手段】
【０００７】
請求項１の発明は、物品の一面側を覆うように取り付けられる合成樹脂製の多孔性カバーにおいて、多孔部は複数の波形状の線状部が上下方向で交錯した編織物様のメッシュ状パターンに成形され、その目開き部分が貫通孔になっていることを特徴とする多孔性カバーである。
【０００８】
請求項２の発明は、請求項１に記載した多孔性カバーにおいて、多孔部の裏面に補強用リブ部が一体に成形されていることを特徴とする多孔性カバーである。
【０００９】
請求項３の発明は、請求項１または２に記載した多孔性カバーにおいて、取り付ける物品がスピーカーであることを特徴とする多孔性カバーである。
【発明の効果】
【００１０】
本発明の多孔性カバーによれば、金属線材の織物に対する素材コストや製造上の有利性を維持しながら、配置角度の変化に拘わらず取り付けられる物品の機能に対する阻害度、例えば、スピーカーに取りつけられる場合にはその音質の変化が小さく、しかもどの角度から見ても高級感の有るメタリック調織物の外観を呈示する。
【発明を実施するための最良の形態】
【００１１】
本発明の第１の実施の形態に係る多孔性カバーを、図面にしたがって説明する。
図１は多孔性カバー１の平面図であり、図２は多孔性カバー１の一部の拡大断面図である。
本実施の形態に係る多孔性カバー１は車載用スピーカー１９の防護カバーとして成形されたもので、円形状の多孔部３と、多孔部３の裏面に形成された補強リブ部１５と、多孔部３の周縁に形成された枠部１７とを有しており、合成樹脂で湾曲したプレート状に一体成形されている。
【００１２】
多孔部３は図示しない物品としての車載用スピーカー１９の前面を防護するとともに音を通すための領域であり、補強リブ部１５は多孔部３をスピーカー側から支持して全体的な強度を確保するための領域である。枠部１７はインナーパネルに取り付けるための部材でシール材を兼ねており、補強リブ部１５と共に全体的な強度（剛性）向上に寄与するものである。
多孔性カバー１の上部分は固定式の上側型のキャビティ形状に対応して成形され、下部分は可動式の下側型のキャビティ形状に対応して成形されており、両金型の境界に対応する部分にパーティングライン（＝ＰＬ）が形成されている。
【００１３】
多孔部３は、横方向に延びた複数の横線状部５と縦方向に延びた複数の縦線状部１１が格子状に配列されて交錯したメッシュ状パターンをなしている。
線状部５，１１はいずれも金属の細線を模したものになっており、断面は上下方向に長い楕円状になっている。また、横線状部５の外周面は、上下とも軸方向に対して交互に凹凸部が形成されており、側面から見たときの上側の輪郭線７も下側の輪郭線９も波形状をなしている。しかも上側の輪郭線７の波形状と下側の輪郭線９の波形状は互いに１波長だけ位相がずれている。そして、横線状部５の上側凹部の上に縦線状部１１の下側凹部が連絡し、縦線状部１１の上側凹部の上に横線状部５の下側凹部が連絡して一体になっている。
隣り合う２つの横線状部５と隣り合う２つの縦線状部１１とで囲まれた隙間は貫通孔１３になっている。
なお、樹脂成形法により成形しているので、ＰＬが形成されるが非常に小さいので目に付き難い。
【００１４】
従って、図１に示すように正面から見ても、図３に示すようにかなりの傾斜角度で斜めから見ても、多孔部３は横線状部５と縦線状部１１とがそれぞれ横線、縦線として平織りされ、上記した連絡部で交錯している織物のようにリアルに見える。
さらに、横線状部５どうしの間隔や縦線状部１１どうしの間隔は織物を構成する縦横の細線としての線状部５，１１が枠部１７に張設されて周縁付近では湾曲されているように一層リアルに見せるために、多孔部３の中心部分の貫通孔１３は正方形に、周縁部分の貫通孔１３は菱形に調整されている。
【００１５】
一方、図４に示す従来品カバー１０１では、上側型は多孔性カバー１を成形するのに用いたものと同じキャビティ形状を有するものを用いて成形されており、正面から見た場合には図１に示す多孔性カバー１と同じように見えるが、図３と同じような傾斜角度で斜めから見ると、横線状部１０５の下側のストレートな輪郭線１０９が見えてしまい、織物のようには見えない。
なお、視認の便宜のため、図３、図４中、ＰＬより下側の部分は薄くグレーで塗りつぶされている。
【００１６】
また、スピーカー本来の性能を発揮させるためには音の通りが良いことが求められており、そのためにはスピーカーの前面を覆う多孔性カバー１の開口面積は大きい方が望ましいが、車載用スピーカーの場合には図３に示すように、多孔性カバー１は傾斜したインナーパネルに組み込まれてスピーカー１９に対して傾斜配置される場合がある。
スピーカー１９に対して傾斜無しに対向配置された場合には、多孔性カバー１も従来品カバー１０１も貫通孔１３，１１３の有効開口面積（＝貫通孔の視覚上の開口面積）は最大でいずれも同じであるが、傾斜配置された場合には貫通孔１３，１１３の周囲の厚さが影響して有効開口面積がいずれも減少する。
【００１７】
但し、多孔性カバー１と従来品カバー１０１とでは、有効開口面積の減少度合いが異なる。
多孔性カバー１の場合には貫通孔１３の線状部５，１１のうちＰＬより下側の輪郭線９は波形状になっているのに対して、従来品カバー１０１の場合には線状部１０５，１１１のうち下側の輪郭線１０９は水平方向にストレートな形状になっている。しかも、従来品カバー１０１では、ＰＬより下側部分の厚さ（ｔ）は一定で、多孔性カバー１の下側の波形状の最底部の最大厚さ（ｔ）に一致している。従って、多孔性カバー１のＰＬより下側の部分は従来品カバー１０１の下側部分から斜線部分（図２）が削がれて波形状に形成されていることになる。
【００１８】
スピーカー１９に対して多孔性カバー１が図３に示すように傾斜されると、横線状部５や縦線状部１１の下側の輪郭線９が貫通孔１３の見掛けの輪郭線となる。一方、従来品カバー１０１が同じように傾斜配置されると、図４に示すように横線状部１０５や縦線状部１１１の下側の輪郭線１０９が貫通孔１１３の見掛けの輪郭線となる。
多孔性カバー１の輪郭線９は斜めになっているのに対して、従来品カバー１０１の輪郭線１０９は水平になっているから、傾斜角度が大きくなると、いずれも貫通孔１３，１１３の有効開口面積が減少するが、多孔性カバー１の方が従来品カバー１０１より有効開口面積の減少度合いが小さくて済む。
【００１９】
スピーカー１９に対してカバーが上下方向だけ傾斜している場合には、有効開口面積の減少は上下方向の有効開口幅（＝貫通孔の見かけの開口幅）の減少に比例するので、図５に示しながら有効開口幅の減少度合いとそれによる音の通り易さの違いを以下に具体的に説明する。
図５の断面図に示すように、上下方向に対して同じ傾斜角度（θ）で多孔性カバー１と従来品カバー１０１とが傾斜配置された場合を比較すると、多孔性カバー１の有効開口幅（ｗ１(大)、（小））はそれぞれ従来品カバー１０１の有効開口幅（ｗ２(大)、（小））より大きくなる。
結果として、多孔性カバー１の方が従来品カバー１０１より音が通り易くなっている。なお、図中、矢印は音の直進方向を示している。
【００２０】
具体的な線状部の寸法や間隔は、音の通り易さと視覚的美観の兼ね合いからその最適なものを適宜設定することができる。また、図１に示すように、線状部５，１１の太さを所定間隔毎に変えることもできる。補強リブ部１５の配置間隔も多孔部の大きさなどを考慮してその最適なものを適宜設定することができる。
【００２１】
本発明の第２の実施の形態に係る多孔性カバーを、図６にしたがって説明する。図６（２）の高倍率の拡大斜視図で詳細に示すように、この多孔性カバー２１では、横線状部２３と縦線状部２５とがそれぞれ横線、縦線として織り込まれたように見える。
本発明の第３の実施の形態に係る多孔性カバーを、図７にしたがって説明する。図７（２）、(３)の高倍率の拡大斜視図で詳細に示すように、この多孔性カバー２７では、互いに絡み合った状態で２つのハニカム状編物２９、３１が上下で重畳された立体編物のように見える。
このように、平織り以外にも種々の編織物をリアルに再現することができる。
【００２２】
以上、本発明の実施の形態について詳述してきたが、具体的構成は、上記実施の形態に限られるものではなく、本発明の要旨を逸脱しない範囲における設計の変更、材質の変更などがあっても発明に含まれる。
例えば、上記実施の形態では枠部１７が設けられているが、枠部１７が無い形に成形することもできる。また、線状部５，１１の断面は楕円形になっているが、真円形にしてもよい。
【産業上の利用可能性】
【００２３】
上記各実施形態では、スピーカー、特に車載用スピーカーに対する防護ネットとしての使用例を説明したが、空気清浄器、エアコンなどの気体吹き出し口や気体吸い込み口を有する装置の気体吹き出し口側や気体吸い込み口側に取り付けても気体の通過性能を向上させる等の従来にない特別な効果を発揮する。
また、マイクロホンのカバー部に本発明の多孔性カバーを適用してもよい。この場合にはカバー部の音声の通過性能を向上させる等の従来にない特別な効果を発揮する。
【図面の簡単な説明】
【００２４】
【図１】本発明の第１の実施の形態に係る多孔性カバーの平面図である。
【図２】図１の多孔性カバーの拡大断面図である。
【図３】図１の多孔性カバーの拡大斜視図である。
【図４】従来品カバーの拡大斜視図である。
【図５】図１の多孔性カバーと従来品カバーの音の通り易さを示す比較図である。
【図６】本発明の第２の実施の形態に係る多孔性カバーの拡大斜視図である。
【図７】本発明の第３の実施の形態に係る多孔性カバーの拡大平面図および拡大斜視図である。
【符号の説明】
【００２５】
１    多孔性カバー（第１の実施の形態）
３    多孔部
５    横線状部
７    上側の輪郭線
９    下側の輪郭線
１１  縦線状部
１３  貫通孔
１５  補強リブ部
１７  枠部
１９  スピーカー
２１  多孔性カバー（第２の実施の形態）
２３  横線状部
２５  縦線状部
２７  多孔性カバー（第３の実施の形態）
２９、３１  ハニカム状編物
ｔ    ＰＬより下側部分の厚さ
ｗ    有効開口幅
【図１】
2009130409.tif 000003
【図２】
2009130409.tif 000004
【図５】
2009130409.tif 000005
【図３】
2009130409.tif 000006
【図４】
2009130409.tif 000007
【図６】
2009130409.tif 000008
【図７】
2009130409.tif 000009